(57)【要約】      （修正有）【課題】各画素回路に印加される電源電圧の、電圧降下を補償することが可能な発光表示装置及び発光表示装置の駆動方法を提供する。【解決手段】発光素子と、該発光素子に連結された第１電極及び第１電源電圧に連結された第２電極を含む駆動トランジスタと、該駆動トランジスタのゲート電極に連結された一端を含む補償キャパシタと、初期化制御信号に応答して第２電源電圧を該補償キャパシタの他端に印加する第１スイッチ素子と、走査信号に応答してデータ信号を該補償キャパシタの他端に印加する第２スイッチ素子とを含む複数の画素回路を含む発光表示装置であって、第１電源電圧をそれぞれの複数の画素回路に印加する第１電源電圧供給線、及び第２電源電圧をそれぞれの複数の画素回路に印加する第２電源電圧供給線は、電気的に連結される。【選択図】図３
2010181877.tif 000002
【特許請求の範囲】
【請求項１】
発光素子と、
前記発光素子に連結された第１電極及び第１電源電圧に連結された第２電極を含む駆動トランジスタと、
前記駆動トランジスタのゲート電極に連結された一端を含む補償キャパシタと、
初期化制御信号に応答し、第２電源電圧を前記補償キャパシタの他端に印加する第１スイッチ素子と、
走査信号に応答し、データ信号を前記補償キャパシタの他端に印加する第２スイッチ素子とを含む複数の画素回路を含み、
前記第１電源電圧をそれぞれの前記複数の画素回路に印加する第１電源電圧供給線、及び前記第２電源電圧をそれぞれの前記複数の画素回路に印加する第２電源電圧供給線は、電気的に連結された発光表示装置。
【請求項２】
前記発光表示装置は、
前記第１電源電圧供給線と前記第２電源電圧供給線とを電気的に連結する少なくとも１本の別途の配線をさらに含むことを特徴とする請求項１に記載の発光表示装置。
【請求項３】
前記少なくとも１本の配線は、前記第２電源電圧を供給する第２電源電圧源から、当該画素回路までの前記第２電源電圧供給線の長さが長い画素回路周辺に配されることを特徴とする請求項２に記載の発光表示装置。
【請求項４】
前記複数の画素回路は、
前記補償キャパシタの他端に連結された一端、及び前記第１電源電圧に連結された他端を含む保存キャパシタをさらに含むことを特徴とする請求項１ないし請求項３のうち、いずれか１項に記載の発光表示装置。
【請求項５】
前記複数の画素回路は、
前記初期化制御信号に応答し、前記駆動トランジスタをダイオード連結させる第３スイッチ素子をさらに含むことを特徴とする請求項４に記載の発光表示装置。
【請求項６】
前記初期化制御信号は、以前の走査周期に活性化される他画素回路に対する走査信号であることを特徴とする請求項５に記載の発光表示装置。
【請求項７】
前記複数の画素回路は、
前記駆動トランジスタの第１電極と前記発光素子との間に直列に連結され、発光制御信号に応答してスイッチオンされる第４スイッチ素子をさらに含むことを特徴とする請求項５に記載の発光表示装置。
【請求項８】
前記発光素子は、有機発光ダイオード（ＯＬＥＤ）であることを特徴とする請求項１ないし請求項３のうち、いずれか１項に記載の発光表示装置。
【請求項９】
複数の画素回路を含む発光表示装置において、
データ信号に応答し、それぞれの前記複数の画素回路の発光素子に入力される発光入力信号を生成する駆動トランジスタに、駆動電圧として第１電源電圧を印加する第１電源電圧供給線と、
それぞれの前記複数の画素回路の前記駆動トランジスタのスレショルド電圧を補償するように、前記駆動トランジスタのゲート電極に連結された補償キャパシタに、第２電源電圧を印加する第２電源電圧供給線とを含み、
前記第１電源電圧供給線及び前記第２電源電圧供給線は、電気的に連結された発光表示装置。
【請求項１０】
前記第１電源電圧供給線及び前記第２電源電圧供給線を電気的に連結する少なくとも１本の別途の配線をさらに含むことを特徴とする請求項９に記載の発光表示装置。
【請求項１１】
前記それぞれの複数の画素回路は、
発光素子と、
前記発光素子に連結された第１電極、及び前記第１電源電圧供給線に連結された第２電極を含む駆動トランジスタと、
前記駆動トランジスタのゲート電極に連結された一端を含む補償キャパシタと、
初期化制御信号に応答し、前記第２電源電圧を前記補償キャパシタの他端に印加する第１スイッチ素子と、
走査信号に応答し、データ信号を前記補償キャパシタの他端に印加する第２スイッチ素子とを含むことを特徴とする請求項９または請求項１０に記載の発光表示装置。
【請求項１２】
前記走査信号及び初期化制御信号を出力する走査駆動部と、
前記データ信号を出力するデータ駆動部とをさらに含むことを特徴とする請求項１１に記載の発光表示装置。
【請求項１３】
前記発光素子は、有機発光ダイオード（ＯＬＥＤ）であることを特徴とする請求項１１に記載の発光表示装置。
【請求項１４】
複数の画素回路と、
それぞれの前記複数の画素回路に第１電源電圧を印加する第１電源電圧供給線と、
それぞれの前記複数の画素回路に第２電源電圧を印加する第２電源電圧供給線と、
前記第１電源電圧供給線の電圧降下、及び前記第２電源電圧供給線の電圧降下を補償する電源電圧補償部とを含み、それぞれの前記複数の画素回路は、
発光入力信号に応答して光を放出する発光部と、
走査信号に応答してデータ信号を入力されるデータ入力部と、
前記データ信号によって前記発光入力信号を生成して前記発光部に出力し、前記第１電源電圧を印加されて駆動される駆動部と、
前記第２電源電圧を印加されて前記駆動部に入力される前記データ信号に対して、前記駆動部のスレショルド電圧を補償するスレショルド電圧補償部とを含む発光表示装置。
【請求項１５】
前記電源電圧補償部は、前記第１電源電圧を供給する第１電源電圧供給線、及び前記第２電源電圧を供給する前記第２電源電圧供給線を電気的に連結させることを特徴とする請求項１４に記載の発光表示装置。
【請求項１６】
前記電源電圧補償部は、前記第１電源電圧供給線及び前記第２電源電圧供給線を電気的に連結する少なくとも１本の配線を含むことを特徴とする請求項１５に記載の発光表示装置。
【請求項１７】
前記走査信号を出力する走査駆動部と、
前記データ信号を出力するデータ駆動部とをさらに含むことを特徴とする請求項１４ないし請求項１６のうち、いずれか１項に記載の発光表示装置。
【請求項１８】
前記スレショルド電圧補償部は、前記走査信号の活性化区間前に活性化される初期化制御信号に応答し、前記第２電源電圧を補償キャパシタに印加され、前記補償キャパシタを前記駆動部のスレショルド電圧レベルまで充電し、前記補償キャパシタを介して、前記データ信号を前記駆動部に印加することによって、前記駆動部のスレショルド電圧を補償し、
前記走査駆動部は、前記初期化制御信号をさらに出力することを特徴とする請求項１４ないし請求項１６のうち、いずれか１項に記載の発光表示装置。
【請求項１９】
前記発光部は、有機発光ダイオード（ＯＬＥＤ）を含むことを特徴とする請求項１４ないし請求項１６のうち、いずれか１項に記載の発光表示装置。
【請求項２０】
発光表示装置の駆動方法において、
前記発光表示装置は、複数の画素回路を含み、それぞれの前記複数の画素回路は、
発光素子と、
データ信号によって前記発光素子に発光入力信号を出力し、第１電源電圧によって駆動される駆動トランジスタと、
一端がスイッチ素子を介して第２電源電圧に連結され、他端が前記駆動トランジスタのゲート端子に連結され、前記データ信号に対して前記駆動トランジスタのスレショルド電圧を補償する補償キャパシタとを含み、
前記発光表示装置の駆動方法は、
前記第２電源電圧を前記スイッチ素子を介して前記補償キャパシタに印加し、前記補償キャパシタを、前記駆動トランジスタのスレショルド電圧レベルに充電させる段階と、
データ信号を前記補償キャパシタを介して前記駆動トランジスタのゲート電極に入力する段階であって、前記補償キャパシタは、前記駆動トランジスタのスレショルド電圧を補償する段階と、
前記駆動トランジスタによって生成された発光入力信号を、前記発光素子に入力する段階とを含み、
前記第１電源電圧を供給する第１電源電圧供給線、及び前記第２電源電圧を供給する第２電源電圧供給線は、電気的に連結された発光表示装置の駆動方法。
【請求項２１】
前記補償キャパシタを充電させる間、前記駆動トランジスタをダイオード連結させる段階をさらに含むことを特徴とする請求項２０に記載の発光表示装置の駆動方法。
【請求項２２】
前記発光素子は、有機発光ダイオード（ＯＬＥＤ）であることを特徴とする請求項２０または請求項２１に記載の発光表示装置の駆動方法。
【発明の詳細な説明】
【技術分野】
【０００１】
本発明は、発光表示装置に係り、さらに具体的には、有機電界発光表示装置及びその駆動方法に関する。
【背景技術】
【０００２】
有機電界発光表示装置は、蛍光性有機化合物を電気的に励起させて発光させる有機電界発光ダイオード（ＯＬＥＤ：organic light emitting diode）に電流または電圧を印加させて映像を表現する装置である。
【０００３】
有機電界発光ダイオードは、アノード、有機薄膜及びカソードの層構造を含む。有機電界発光ダイオードの有機薄膜は、電子と正孔との均衡を保って発光効率を向上させるために、発光層（ＥＭＬ：emitting material layer）、電子輸送層（ＥＴＬ：electron transport layer）及び正孔輸送層（ＨＴＬ：hole transport layer）を含んだ多層構造からなり、また別途の電子注入層（ＥＩＬ：electron injecting layer）と正孔注入層（ＨＩＬ：hole injecting layer）とを含むことができる。有機薄膜は、発光層で出合った電子と正孔との結合によって光を放出する。
【０００４】
一般的に、有機電界発光表示装置は、ＮｘＭ（ＮとＭとは自然数）行列形態で配列された複数の画素と、それぞれの画素を駆動するための駆動回路とを含む。駆動方式には、受動マトリックス（passive matix）方式と能動マトリックス（active matrix）方式とがある。受動マトリックス方式は、正極と負極とを直交させるように形成し、ラインを選択して駆動する。能動マトリックス方式は、各画素に、スイッチング素子を利用してデータ信号を印加し、キャパシタを利用し、これを保存することによって、データ信号が印加されない区間の間にも、以前に印加されたデータを維持する。スイッチング素子を具現するために、薄膜トランジスタ（ＴＦＴ：thin film transistor）を利用できる。能動駆動方式は、キャパシタに電圧を維持させるために印加される形態によって、電圧書き込み（voltage programming）方式と電流書き込み（current programming）方式とに分類される。
【０００５】
それぞれの画素の有機電界発光ダイオードに、データ信号に対応する電流を印加するために、駆動トランジスタが利用されうる。駆動トランジスタは、ゲート端子に入力されるデータ信号によって電流を発生させ、発光ダイオードに入力する。発生した電流の大きさは、データ信号によるゲート電圧と、電源電圧によるソース電圧との差により決定される。
駆動トランジスタによって入力された電流により、駆動トランジスタで励起された電子及び正孔が形成され、それらが結合して光を放出する。
【発明の概要】
【発明が解決しようとする課題】
【０００６】
本発明が解決しようとする課題は、発光表示装置のパネルのサイズが増大するにしたがって、各画素回路に印加される電源電圧のレベルが、配線の寄生抵抗成分及び各画素回路に流入する電流による電圧降下によって、画素の位置によって変わるという問題点を解決するものである。
また本発明が解決しようとする他の課題は、各画素回路で、駆動回路のスレショルド電圧を補償するために印加される電源電圧が、画素の位置によって変わるという問題点を解決するものである。
【課題を解決するための手段】
【０００７】
本発明の第１側面による発光表示装置は、発光素子と、前記発光素子に連結された第１電極及び第１電源電圧に連結された第２電極を含む駆動トランジスタと、前記駆動トランジスタのゲート電極に連結された一端を含む補償キャパシタと、初期化制御信号に応答して第２電源電圧を前記補償キャパシタの他端に印加する第１スイッチ素子と、走査信号に応答してデータ信号を前記補償キャパシタの他端に印加する第２スイッチ素子とを含む複数の画素回路を含み、前記第１電源電圧をそれぞれの前記複数の画素回路に印加する第１電源電圧供給線、及び前記第２電源電圧をそれぞれの前記複数の画素回路に印加する第２電源電圧供給線は、電気的に連結される。
【０００８】
このとき、前記発光表示装置は、前記第１電源電圧供給線と前記第２電源電圧供給線とを電気的に連結する少なくとも１本の別途の配線をさらに含むことができる。
また前記発光素子は、有機発光ダイオード（ＯＬＥＤ）でありうる。
本発明の第２側面による発光表示装置は、複数の画素回路を含み、データ信号に応答してそれぞれの前記複数の画素回路の発光素子に入力される発光入力信号を生成する駆動トランジスタに、駆動電圧として第１電源電圧を印加する第１電源電圧供給線と、それぞれの前記複数の画素回路の前記駆動トランジスタのスレショルド電圧を補償するように、前記駆動トランジスタのゲート電極に連結された補償キャパシタに、第２電源電圧を印加する第２電源電圧供給線とを含み、前記第１電源電圧供給線及び前記第２電源電圧供給線は、電気的に連結されうる。
【０００９】
本発明の第３側面による発光表示装置は、複数の画素回路と、それぞれの前記複数の画素回路に第１電源電圧を印加する第１電源電圧供給線と、それぞれの前記複数の画素回路に第２電源電圧を印加する第２電源電圧供給線と、前記第１電源電圧供給線の電圧降下及び前記第２電源電圧供給線の電圧降下を補償する電源電圧補償部とを含み、それぞれの前記複数の画素回路は、発光入力信号に応答して光を放出する発光部と、走査信号に応答してデータ信号を入力されるデータ入力部と、前記データ信号によって前記発光入力信号を生成して前記発光部に出力し、前記第１電源電圧を印加されて駆動される駆動部と、前記第２電源電圧を印加されて前記駆動部に入力される前記データ信号に対して、前記駆動部のスレショルド電圧を補償するスレショルド電圧補償部とを含む。
【００１０】
本発明の第４側面による発光表示装置の駆動方法は、前記第２電源電圧を前記スイッチ素子を介して前記補償キャパシタに印加し、前記補償キャパシタを前記駆動トランジスタのスレショルド電圧レベルに充電させる段階と、データ信号を前記補償キャパシタを介して前記駆動トランジスタのゲート電極に入力する段階であって、前記補償キャパシタは、前記駆動トランジスタのスレショルド電圧を補償する段階と、前記駆動トランジスタによって生成された発光入力信号を、前記発光素子に入力する段階とを含み、ここで、前記第１電源電圧を供給する第１電源電圧供給線及び前記第２電源電圧を供給する第２電源電圧供給線は、電気的に連結される。また、前記発光表示装置の駆動方法は、前記補償キャパシタを充電させる間、前記駆動トランジスタをダイオード連結させる段階をさらに含むことができる。
【発明の効果】
【００１１】
本発明による発光表示装置及び発光表示装置の駆動方法は、発光表示装置のパネルのサイズが増大することによってそれぞれの画素回路に印加される電源電圧の電圧降下を補償することが可能である。
また電源電圧の電圧降下を補償し、パネルのサイズが増大することによって発光表示装置の出力画像が歪曲される現象を軽減させることができる。
さらに、複数の電源電圧供給線間のクロストーク現象を除去することが可能である。
【図面の簡単な説明】
【００１２】
【図１】発光表示装置の画素回路を図示した図面である。
【図２】パネルの大型化による現象を説明するための図面である。
【図３】本発明による発光表示装置を図示した図面である。
【図４】本発明の第１実施形態による発光表示装置の画素回路の構造を図示した図面である。
【図５】本発明の第１実施形態による発光表示装置の構造を図示した図面である。
【図６】本発明の第２実施形態による発光表示装置の画素回路の構造を図示した図面である。
【図７】本発明の第２実施形態による発光表示装置の構造を図示した図面である。
【図８】本発明による発光表示装置の駆動方法を示すフローチャートである。
【発明を実施するための形態】
【００１３】
以下、添付された図面を参照しつつ、本発明の実施形態について説明する。下記の説明及び添付された図面は、本発明による動作を理解するためのものであり、本技術分野の当業者が容易に具現できる部分は省略されうる。
また、本明細書及び図面は、本発明を制限するための目的で提供されたものではなく、本発明の範囲は、請求の範囲によって決まるものである。本明細書で使われた用語は、本発明を最も適切に表現できるように、本発明の技術的思想に符合する意味と概念とに解釈されねばならない。
【００１４】
図１は、発光表示装置の画素回路を図示した図面である。
該発光表示装置は、発光素子（例えば、ＯＬＥＤ（organic light emitting diode））、駆動トランジスタＭ１、走査トランジスタＭ２及び保存キャパシタＣｓｔを含む。駆動トランジスタＭ１は、走査トランジスタＭ２を介して入力されるデータ信号Ｄｍに応答し、電流を発生させて発光素子ＯＬＥＤに供給する。このとき、データ信号Ｄｍは、走査信号Ｓｎに応答して一定区間の間でのみ、データ信号Ｄｍを駆動トランジスタＭ１に印加する。また、データ信号Ｄｍが走査区間の間に印加される間、保存トランジスタＣｓｔにデータ信号が保存され、走査区間が終了した後にも、データ信号Ｄｍに対応する電圧が、駆動トランジスタＭ１に印加される。駆動トランジスタＭ１によって発生した電流が、発光素子ＯＬＥＤに印加されれば、発光素子ＯＬＥＤは、印加された電流の大きさに対応する輝度の光を放出する。
【００１５】
ここで、駆動トランジスタＭ１から発光素子に印加される電流の大きさは、次の数式１のようである。
【数１】
2010181877.tif 000003
ここで、ＩＯＬＥＤは、発光素子ＯＬＥＤに流れる電流、Ｖｇｓは、駆動トランジスタＭ１のゲート電極及びソース電極間の電圧、Ｖｔｈは、駆動トランジスタＭ１のスレショルド電圧、Ｖｄａｔａは、走査トランジスタＭ２を介して、駆動トランジスタＭ１のゲート電極に印加されるデータ信号Ｄｍの電圧、βは、定数値を示す。数式１から分かるように、発光素子ＯＬＥＤに供給される電流は、データ信号Ｄｍの電圧Ｖｄａｔａ、電源電圧ＶＤＤ及びスレショルド電圧Ｖｔｈに依存する。ところで、パネルのサイズが大型化すると、画素の位置によって、電源電圧ＶＤＤ（以下、「第１電源電圧」という）及びスレショルド電圧Ｖｔｈの大きさが変わるという問題点が発生する。
【００１６】
図２は、パネルの大型化による現象について説明するための図面である。
パネルは、一般的にＮｘＭ行列の形態で配列された複数の画素回路を含み、それぞれの画素回路に、データ信号Ｄｍ、走査信号Ｓｎ及び第１電源電圧ＶＤＤが印加される。第１電源電圧は、あらゆる画素回路に対して共通して供給されうる。
ところで、図２に図示されているように、第１電源電圧ＶＤＤが各画素に供給されるとき、電圧降下が発生しうる。一般的に、電源電圧を供給するための配線には、寄生抵抗成分が存在し、このような配線を介して第１電源電圧が供給されれば、かような寄生抵抗成分によって電圧降下が発生する。従って、このような電圧降下によって、それぞれの画素回路に供給される第１電源電圧ＶＤＤのレベルは、その画素回路と第１電源電圧ＶＤＤの電圧源との間の配線の長さが長くなるほど、落ちてしまう（Ａ）。
【００１７】
また、第１電源電圧ＶＤＤが、それぞれの画素回路の駆動トランジスタＭ１の駆動電圧として印加されれば、第１電源電圧供給線から駆動トランジスタＭ１に電流が流入する。このようなそれぞれの画素回路への電流流入によって、画素回路の位置が、第１電源電圧ＶＤＤの供給地点から遠ざかるほど、その画素回路に供給される第１電源電圧ＶＤＤの電圧レベルが落ちてしまう（Ｂ）。これによって、数式１のＶＤＤ値が、画素の位置によって変わるＬＲ（long range uniformity）の問題が発生する。
【００１８】
また、前述の通り、製造工程の不均一性によって生じるＴＦＴ（thin film transistor）のスレショルド電圧Ｖｔｈの偏差によって、発光素子ＯＬＥＤに供給される電流の量が変わるというＳＲ（short range uniformity）の問題が発生する。このような問題は、パネルが大型化するほどさらに激しくなる。それぞれの画素回路のスレショルド電圧Ｖｔｈの不均一性を補償するために、画素回路は、駆動トランジスタのゲート端子に連結された補償キャパシタＣｖｔｈをさらに含み、補償キャパシタＣｖｔｈに所定の電源電圧を印加することによって、スレショルド電圧Ｖｔｈの不均一性を補償できる。ここで、所定の電源電圧として、別途の第２電源電圧Ｖｓｕｓを具備できる。ところで、第２電源電圧Ｖｓｕｓもまた、前述の通り、第２電源電圧供給線の寄生抵抗成分による電圧降下（Ａ）、及びそれぞれの画素回路に流入する電流による電圧降下（Ｂ）によって、画素回路の位置によってその電圧レベルが変わりうる。
【００１９】
一般的に、第２電源電圧Ｖｓｕｓの供給線は、第１電源電圧ＶＤＤの供給線に比べて供給容量が小さい場合が多い。このような場合、第２電源電圧Ｖｓｕｓは、パネルが大型化すれば、さらに敏感に変化する。
このような問題点を解決するために、本発明は、第１電源電圧ＶＤＤ及び第２電源電圧Ｖｓｕｓを電気的に連結し、第２電源電圧Ｖｓｕｓの変化を第１電源電圧ＶＤＤで補償する構造を提供する。
【００２０】
図３は、本発明による発光表示装置を図示した図面である。
本発明による発光表示装置３００は、複数の画素回路Ｐｎｍ、第１電源電圧供給線３１０、第２電源電圧供給線３２０及び電源電圧補償部３３０を含むことができる。
複数の画素回路Ｐｎｍは、図５に図示されているように、ＮｘＭマトリックス状に配列されうる。
第１電源電圧供給線３１０及び第２電源電圧供給線３２０は、図５に図示されているように、それぞれの画素回路Ｐｎｍに連結され、それぞれ第１電源電圧ＶＤＤ及び第２電源電圧Ｖｓｕｓを印加する。このために、第１電源電圧供給線３１０は、第１電源電圧ＶＤＤを供給する第１電源電圧源（図示せず）に電気的に連結され、第２電源電圧供給線３２０は、第２電源電圧Ｖｓｕｓを供給する第２電源電圧源（図示せず）に電気的に連結されうる。
【００２１】
また、第１電源電圧ＶＤＤ及び第２電源電圧Ｖｓｕｓは、望ましくは、同じ電圧レベルを有する。１つの実施形態として、第１電源電圧ＶＤＤ及び第２電源電圧Ｖｓｕｓが同じ電圧レベルを有する場合、第１電源電圧供給線３１０及び第２電源電圧供給線３２０は、同じ電圧源に連結されうる。
【００２２】
電源電圧補償部３３０は、第１電源電圧供給線３１０及び第２電源電圧供給線３２０の電圧レベルの変化を補償する。本発明の一実施形態として、電源電圧補償部３３０は、第１電源電圧供給線３１０及び第２電源電圧供給線３２０を電気的に連結させて具現されうる。また、このような電気的連結は、第１電源電圧供給線３１０及び第２電源電圧供給線３２０間での別途の配線によって具現されうる。代案として、このような電気的連結は、所定の制御信号に応答し、第１電源電圧供給線３１０及び第２電源電圧供給線３２０を電気的に連結させるスイッチ素子でありうる。しかし、本発明は、かような形態に限定されるものではなく、電源電圧補償部３３０は、第１電源電圧供給線３１０の電圧降下、及び第２電源電圧供給線３２０の電圧降下を補償できる形態であるならば、いかなる形態でも可能である。
【００２３】
前記複数の画素回路Ｐｎｍは、それぞれ発光部３４０、データ入力部３５０、駆動部３６０及びスレショルド電圧補償部３７０を含むことができる。
発光部３４０は、発光入力信号を入力され、発光入力信号の大きさによる輝度の光を出力する。発光部３４０は、電気的入力信号に応答して光を放出する発光素子であるならば、いかなる形態でも可能であり、前記発光素子は、例えばＯＬＥＤでありうる。また、発光入力信号は、電流入力形態で入力されうる。
【００２４】
さらに、発光部３４０は、発光制御信号Ｅｎに応答し、一定の周期でのみ発光入力信号を入力されるように構成されうる。かような具現で、発光入力信号は、発光制御信号Ｅｎに応答してスイッチングされる所定のスイッチ素子を介して発光素子に入力されうる。
データ入力部３５０は、走査信号Ｓｎに応答してデータ信号Ｄｍを入力され、一定の区間の間に入力されたデータ信号Ｄｍを保存する。このために、データ入力部３５０は、走査信号Ｓｎに応答してスイッチングされるスイッチ素子を含むことができる。また、入力されたデータ信号Ｄｍを保存するために、保存キャパシタを含むことができる。
【００２５】
スレショルド電圧補償部３７０は、データ信号Ｄｍが入力される前に、駆動部３６０のスレショルド電圧を補償するために、スレショルド電圧に該当する電圧を保存し、データ信号Ｄｍが駆動部３６０に入力されるとき、スレショルド電圧に該当する電圧レベルを補償する。このために、スレショルド電圧補償部３７０は、スレショルド電圧に該当する電圧を保存するための補償キャパシタを含むことができる。また、スレショルド電圧補償部３７０は、データ信号Ｄｍが入力される前に、一定区間の間に活性化される初期化制御信号Ｓｎ−１に応答し、前記補償キャパシタに第２電源電圧Ｖｓｕｓを印加するスイッチ素子を含むことができる。さらに、スレショルド電圧補償部３７０は、初期化制御信号Ｓｎ−１に応答し、駆動部３６０の駆動トランジスタをダイオード連結させるスイッチ素子をさらに含むことができる。
【００２６】
駆動部３６０は、スレショルド電圧補償部３７０を介して入力されたデータ信号Ｄｍを入力され、データ信号Ｄｍの大きさに対応する発光入力信号を発生させ、発光入力信号を発光部３４０に出力する。駆動部３６０は、このために、駆動トランジスタを含むことができる。前記駆動トランジスタは、ゲート電極からデータ信号Ｄｍを入力され、発光入力信号を発生させることができる。前記駆動トランジスタの駆動電圧として、前記駆動トランジスタのソース電極に、第１電源電圧ＶＤＤが第１電源電圧供給線３１０を介して印加されうる。
【００２７】
図４は、本発明の第１実施形態による発光表示装置の画素回路の構造を図示した図面である。
本発明の第１実施形態による画素回路は、発光素子ＯＬＥＤ、駆動トランジスタＭ１、第１スイッチ素子Ｍ３、補償キャパシタＣｖｔｈ、第２スイッチ素子Ｍ２、及び保存キャパシタＣｓｔを含む。第１電源電圧供給線３１０は、駆動トランジスタＭ１の駆動電圧に連結され、第２電源電圧供給線３２０は、第１スイッチ素子Ｍ１の一端に連結される。
【００２８】
本発明の一実施形態によって、第１電源電圧供給線３１０及び第２電源電圧供給線３２０は、第１電源電圧供給線３１０の電圧降下、及び第２電源電圧供給線３２０の電圧降下を補償するように、互いに電気的に連結されうる。このために、第１電源電圧供給線３１０及び第２電源電圧供給線３２０間に、別途の電源電圧補償配線４００が備わりうる。
【００２９】
走査信号Ｓｎが活性化されることによって、データ信号Ｄｍが入力される前に、補償キャパシタＣｖｔｈに駆動トランジスタＭ１のスレショルド電圧を補償するための電圧が蓄電される。このために、初期化制御信号Ｓｎ−１が、走査信号Ｓｎが活性化される前に、一定区間の間活性化され、初期化制御信号Ｓｎ−１の活性化に応答し、第１スイッチ素子Ｍ３を介して、第２電源電圧Ｖｓｕｓが補償キャパシタＣｖｔｈに印加される。補償キャパシタＣｖｔｈは、第２電源電圧Ｖｓｕｓによって、駆動トランジスタＭ１のスレショルド電圧に該当する電圧レベルほど蓄電される。
【００３０】
初期化制御信号Ｓｎ−１の活性化区間が終了した後、走査信号Ｓｎが活性化され、第２スイッチ素子Ｍ２を介して、データ信号Ｄｍが入力される。データ信号Ｄｍは、走査信号Ｓｎが活性化される区間の間、保存キャパシタＣｓｔに印加され、保存キャパシタＣｓｔは、データ信号Ｄｍを保存する。このとき、データ信号Ｄｍは、保存キャパシタＣｓｔに電圧書き込み方式、または電流書き込み方式によって保存されうる。
【００３１】
保存キャパシタＣｓｔに保存されたデータ信号Ｄｍは、補償キャパシタＣｖｔｈを介して、駆動トランジスタＭ１のゲート電極に入力される。このとき、補償キャパシタＣｖｔｈによって、駆動トランジスタＭ１のスレショルド電圧が補償され、駆動トランジスタＭ１で生成される発光入力信号は、駆動トランジスタＭ１のスレショルド電圧に独立的である。
発光入力信号は、発光素子ＯＬＥＤに入力され、発光素子ＯＬＥＤは、発光入力信号の大きさに対応する輝度の光を発生させる。このとき、発光入力信号は、電流入力の形態で入力されうる。
【００３２】
第１スイッチ素子Ｍ３及び第２スイッチ素子Ｍ２は、Ｐ型ＭＯＳＦＥＴ（metal oxide semiconductor field-effect transistors）として図示されているが、これに限定されるものではなく、所定の制御信号に応答してスイッチ機能を行う素子であるならば、いかなる形態でも可能である。
ここで、第２スイッチ素子Ｍ２及び保存キャパシタＣｓｔはデータ入力部３５０に、第１スイッチ素子Ｍ３及び補償キャパシタＣｖｔｈはスレショルド電圧補償部３７０に、駆動トランジスタＭ１は駆動部３６０に、発光素子ＯＬＥＤは発光部３４０に、それぞれ対応しうる。また、電源電圧補償配線４００は、電源電圧補償部３３０に対応しうる。
【００３３】
図５は、本発明の第１実施形態による発光表示装置の構造を図示した図面である。
複数の画素回路ＰＮＭは、ＮｘＭマトリックス状に配列されうる。第１電源電圧供給線３１０及び第２電源電圧供給線３２０は、それぞれの画素回路ＰＮＭに連結される。第１電源電圧供給線３１０及び第２電源電圧供給線３２０は、電源電圧補償配線４００を介して、電気的に連結されうる。また、本発明の第１実施形態による発光表示装置は、複数の画素回路ＰＮＭに、走査信号Ｓｎを供給する走査駆動部５１０、及び複数の画素回路ＰＮＭにデータ信号Ｄｍを供給するデータ駆動部５２０をさらに含むことができる。一実施形態によれば、走査信号Ｓｎは、同じ行の画素回路ＰＮＭに共通して印加され、データ信号Ｄｍは、同じ列の画素回路ＰＮＭに共通して印加されうる。
【００３４】
本発明の一実施形態として、電源電圧補償配線４００は、複数の位置で備わりうる。また、本発明の他の実施形態として、電源電圧補償配線４００は、第１電源電圧供給源（図示せず）から、画素回路ＰＮＭ間の第１電源電圧供給線３１０の配線長が他の画素回路ＰＮＭに比べて相対的に長い画素回路ＰＮＭ周辺の第１電源電圧供給線３１０及び第２電源電圧供給線３２０間に、優先的に配されうる。同様に、電源電圧補償配線４００は、第２電源電圧供給源（図示せず）から、画素回路ＰＮＭ間の第２電源電圧供給線３２０の配線長が他の画素回路ＰＮＭに比べて相対的に長い画素回路ＰＮＭ周辺の第１電源電圧供給線３１０及び第２電源電圧供給線３２０間に優先的に配されうる。
【００３５】
図６は、本発明の第２実施形態による発光表示装置の画素回路の構造を図示した図面である。
本発明の第２実施形態による発光表示装置は、発光素子ＯＬＥＤ、第４スイッチ素子Ｍ５、駆動トランジスタＭ１、第１スイッチ素子Ｍ３、第３スイッチ素子Ｍ４、補償キャパシタＣｖｔｈ、第２スイッチ素子Ｍ２及び保存キャパシタＣｓｔを含む。第１電源電圧供給線３１０は、駆動トランジスタＭ１の駆動電圧に連結され、第２電源電圧供給線３２０は、第１スイッチ素子Ｍ１の一端に連結される。
【００３６】
初期化制御信号Ｓｎ−１が活性化されれば、第１スイッチ素子Ｍ３及び第３スイッチ素子Ｍ４が、ターンオンされる。
第３スイッチ素子Ｍ４がターンオンされることによって、駆動トランジスタＭ１は、ダイオード連結され、駆動トランジスタＭ１のゲート電極及びソース電極間の電圧Ｖｇｓが駆動トランジスタＭ１のスレショルド電圧Ｖｔｈまで変わる。このとき、駆動トランジスタＭ１のソース電圧は、第１電源電圧ＶＤＤであるから、駆動トランジスタＭ１のゲート端子、すなわち補償キャパシタＣｖｔｈの一端に印加される電圧は（ＶＤＤ＋Ｖｔｈ）となる。
また、第１スイッチ素子Ｍ３がターンオンされることによって、補償キャパシタＣｖｔｈの他端に、第２電源電圧Ｖｓｕｓが印加される。
【００３７】
従って、補償キャパシタＣｖｔｈの両端にかかる電圧Ｖｃｖｔｈは、次の数式２の通りである。
【数２】
2010181877.tif 000004
ここで、ＶＣｖｔｈ１は、補償キャパシタＣｖｔｈ一端に印加される電位、ＶＣｖｔｈ２は、補償キャパシタＣｖｔｈの他端に印加される電位である。
次に、初期化制御信号Ｓｎ−１が非活性化になり、走査信号Ｓｎが活性化される。走査信号Ｓｎが活性化されることによる第２スイッチ素子及び保存キャパシタＣｓｔの動作は、図４で説明したところの通りである。
保存キャパシタＣｓｔにデータ信号Ｄｍが保存された後、駆動トランジスタＭ１のゲート
【００３８】
電極及びソース電極間の電圧Ｖｇｓは、次の数式３の通りである。
【数３】
2010181877.tif 000005
発光素子ＯＬＥＤに流れる電流ＩＯＬＥＤは、次の数式４の通りである。
【数４】
2010181877.tif 000006
【００３９】
すなわち、発光素子ＯＬＥＤには、数式４のような発光入力信号が入力され、発光入力信号の電流ＩＯＬＥＤの大きさによる輝度の光を発光素子ＯＬＥＤから放出する。このとき、発光入力信号の大きさは、数式４に示されているように、データ信号の大きさＶｄａｔａと、第２電源電圧Ｖｓｕｓの大きさとに依存する。従って、第２電源電圧Ｖｓｕｓが、第２電源電圧供給線３２０の寄生抵抗成分による電圧降下（Ａ）、または画素回路ＰＮＭへの電流流入による電圧降下（Ｂ）によって、各画素回路ＰＮＭに、その位置によって異なって印加されれば、表示される映像に歪曲現象が発生する。
【００４０】
よって、本発明は、かような問題点を解決するために、第２電源電圧供給線３２０の電圧降下を補償するための構造を含む。例えば、かような構造は、第１電源電圧供給線３１０と第２電源電圧供給線３２０との間の電源電圧補償配線４００でありうる。第１電源電圧供給線３１０と第２電源電圧供給線３２０は、互いに補完的な関係にあり、一本が太くなる場合、他の一本は細くなり、これによって、一方の電圧降下が激しくなれば、クロストーク（cross-talk）が発生しうる。本発明の一実施形態は、第１電源電圧供給線３１０と第２電源電圧供給線３２０とを互いに電気的に連結させることにより、第１電源電圧供給線３１０の電圧降下と第２電源電圧供給線３２０の電圧降下とを互いに補償し、クロストーク現象を防止する。
【００４１】
図７は、本発明の第２実施形態による発光表示装置の構造を図示した図面である。
複数の画素回路ＰＮＭは、ＮｘＭマトリックス状に配列されうる。第１電源電圧供給線３１０及び第２電源電圧供給線３２０は、それぞれの画素回路ＰＮＭに連結される。第１電源電圧供給線３１０及び第２電源電圧供給線３２０は、電源電圧補償配線４００を介して、電気的に連結されうる。また、本発明の第２実施形態による発光表示装置は、複数の画素回路ＰＮＭに、走査信号Ｓｎ及び発光制御信号Ｅｎを供給する走査駆動部５１０；複数の画素回路ＰＮＭに、データ信号Ｄｍを供給するデータ駆動部５２０をさらに含むことができる。本発明の一実施形態によれば、走査信号Ｓｎは、同じ行の画素回路ＰＮＭに共通して印加され、データ信号Ｄｍは、同じ列の画素回路ＰＮＭに共通して印加されうる。また、本発明の一実施形態によれば、初期化制御信号Ｓｎ−１は、ある画素回路ＰＮＭに対する走査信号Ｓｎが活性化される前に印加される１行前の走査信号でありうる。
【００４２】
図８は、本発明による発光表示装置の駆動方法を示すフローチャートである。
本発明による発光表示装置は、１フレーム単位でそれぞれの画素回路にデータ信号Ｄｍが入力され、１フレーム周期の間に走査信号Ｓｎが活性化される間、同行に配された画素回路ＰＮＭを単位に、データ信号Ｄｍが順次に入力されうる。また、初期化制御信号Ｓｎ−１及び発光制御信号Ｅｎは、同行に配された画素回路ＰＮＭに共通して印加され、それぞれの行に対して順次に活性化されうる。
【００４３】
初期化制御信号Ｓｎ−１が活性化されれば、駆動トランジスタＭ１がダイオード連結され、補償キャパシタＣｖｔｈに第１スイッチ素子Ｍ３を介して、第２電源電圧Ｖｓｕｓが印加される（Ｓ８０２）。補償キャパシタＣｖｔｈは、初期化制御信号Ｓｎ−１が活性化される間、駆動トランジスタＭ１のスレショルド電圧Ｖｔｈレベルまで充電される。
初期化制御信号Ｓｎ−１が非活性化になった後、走査信号Ｓｎが活性化される。走査信号Ｓｎが活性化される間にデータ信号Ｄｍを入力され、保存キャパシタＣｓｔにデータ信号Ｄｍを保存する（Ｓ８０４）。保存キャパシタＣｓｔに保存されたデータ信号Ｄｍは、補償キャパシタＣｖｔｈを介して、駆動トランジスタＭ１のゲート端子に入力され、駆動トランジスタＭ１は、入力されたデータ信号Ｄｍに応答して発光表示信号を生成する。
【００４４】
次に、発光制御信号Ｅｎが活性化され、駆動トランジスタＭ１によって生成された発光表示信号が、発光制御信号Ｅｎが活性化される間、発光素子ＯＬＥＤに入力される（Ｓ８０６）。発光素子ＯＬＥＤは、発光表示信号による輝度の光の放出する。
【００４５】
以上、図面と明細書とで最適実施形態が開示された。ここで、特定の用語が使われているが、それらは単に、本発明について説明するための目的で使われたものであり、意味限定や特許請求の範囲に記載された本発明の範囲を制限するために使われたものではない。従って、本技術分野の当業者であるならば、それらから多様な変形及び均等な他実施形態が可能であるという点を理解することが可能であろう。よって、本発明の真の技術的保護範囲は、特許請求の範囲の技術的思想によって決まるものである。
【符号の説明】
【００４６】
３００    発光表示装置
３１０    第１電源電圧供給源
３２０   第２電源電圧供給源
３３０    電源電圧補償部
３４０    発光部
３５０    データ入力部
３６０    駆動部
３７０    スレショルド電圧補償部
４００    電源電圧補償配線
５１０    走査駆動部
５２０    データ駆動部
【図１】
2010181877.tif 000007
【図２】
2010181877.tif 000008
【図３】
2010181877.tif 000009
【図４】
2010181877.tif 000010
【図５】
2010181877.tif 000011
【図６】
2010181877.tif 000012
【図７】
2010181877.tif 000013
【図８】
2010181877.tif 000014